(57)【要約】【課題】本発明は、番組予約情報をやり取りする装置が増減したとしても、当該増減に係る設定の煩雑化を防止することができる番組記録システムを提供する。【解決手段】本発明に係る番組記録再生システム２００では、サーバ１０４は、第一の番組記録装置１０２，１０３が有する第一の番組予約情報を登録できる。第二の番組記録装置１０１は、承認確認を第一の番組記録装置１０２，１０３に行い、承認確認の結果に応じてサーバ１０４から第一の番組予約情報を取得する予約情報取得部１１１と、予約情報取得部１１１で取得した第一の番組予約情報を用いて、自機１０１における第二の番組予約情報を作成する予約設定部１１２とを、備えている。サーバ１０４は、同じ内容の番組を放送する異なる放送局間の対応付け、および異なる放送局が有する物理チャンネル間の対応付けがなされた、変換テーブルを有している。【選択図】図１
2013243764.tif 000002
【特許請求の範囲】
【請求項１】
第一の番組記録装置と第二の番組記録装置とを少なくとも含む、複数の番組記録装置と、
前記複数の番組記録装置と通信ネットワークを介して接続されるサーバとを、備えており、
前記サーバは、
前記第一の番組記録装置が有する第一の番組予約情報を少なくとも登録することができ、
前記第二の番組記録装置は、
前記サーバに登録されている前記第一の番組予約情報を取得して良いか否かの承認確認を、前記第一の番組記録装置に行い、前記承認確認の結果に応じて前記サーバから第一の番組予約情報を取得することができる予約情報取得部と、
前記予約情報取得部で取得した前記第一の番組予約情報を少なくとも用いて、自機における第二の番組予約情報を作成する予約設定部とを、備えており、
同じ内容の番組の放送を行う放送局が、地域によって異なる場合において、前記サーバは、
前記同じ内容の番組を放送する異なる前記放送局間の対応付け、および前記異なる放送局が有する物理チャンネル間の対応付けがなされた、変換テーブルを有している、
ことを特徴とする番組記録システム。
【請求項２】
第一の番組記録装置と第二の番組記録装置とを少なくとも含む、複数の番組記録装置と、
前記複数の番組記録装置と通信ネットワークを介して接続されるサーバとを、備えており、
前記サーバは、
前記第一の番組記録装置が有する第一の番組予約情報を、少なくとも登録することができ、
前記第二の番組記録装置は、
前記サーバに登録されている前記第一の番組予約情報を取得して良いか否かの承認確認を、前記第一の番組記録装置に行い、前記承認確認の結果に応じて前記サーバから第一の番組予約情報を取得することができる予約情報取得部と、
前記予約情報取得部で取得した前記第一の番組予約情報を少なくとも用いて、自機における第二の番組予約情報を作成する予約設定部とを、備えており、
同じ内容の番組の放送を行う放送局が、地域によって異なる場合において、前記第二の番組記録装置は、
前記同じ内容の番組を放送する異なる前記放送局間の対応付け、および前記異なる放送局が有する物理チャンネル間の対応付けがなされた、変換テーブルを有している、
ことを特徴とする番組記録システム。
【請求項３】
前記サーバは、
前記第一の番組記録装置からの前記承認確認の結果が承認である場合には、前記第二の番組記録装置に対して、前記第一の番組予約情報を送信し、
前記第一の番組記録装置からの前記承認確認の結果が非承認である場合には、前記第二の番組記録装置に対して、前記非承認の旨を通知する、
ことを特徴とする請求項１または請求項２に記載の番組記録システム。
【請求項４】
前記予約設定部は、
前記予約情報取得部で取得した前記第一の番組予約情報と、前記第二の番組記録装置が既に有している前記第二の番組予約情報とを用いて、前記第二の番組予約情報を更新する、
ことを特徴とする請求項１または請求項２に記載の番組記録システム。
【請求項５】
前記第二の番組記録装置は、
前記サーバに登録されている前記第一の番組予約情報の中から所望の予約番組を、外部から選択することができる番組情報選択部を、さらに備えており、
前記予約情報取得部は、
前記番組情報選択部で選択された前記所望の予約番組のみを、前記サーバから取得し、
前記予約設定部は、
前記予約情報取得部で取得した前記所望の予約番組と、前記第二の番組記録装置が既に有している前記第二の番組予約情報とを用いて、前記第二の番組予約情報を更新する、
ことを特徴とする請求項４に記載の番組記録システム。
【請求項６】
前記第一の番組記録装置は、
前記第一の番組予約情報のうち、前記サーバに登録する予約番組を選択することができる登録選択部を、備えている、
ことを特徴とする請求項１または請求項２に記載の番組記録システム。
【発明の詳細な説明】
【技術分野】
【０００１】
この発明は、番組記録システムに係る発明であり、例えば、友人や同僚などの他のユーザが予約している番組を知ることができ、同じ番組を簡単に自機に予約することができる番組記録システムに適用することができる。
【背景技術】
【０００２】
近年、ＨＤＤ（Ｈａｒｄ  Ｄｉｓｋ  Ｄｒｉｖｅ）搭載のＤＶＤ（Ｄｉｇｉｔａｌ  Ｖｅｒｓａｔｉｌｅ  Ｄｉｓｋ）レコーダー等では、放送信号とともに送信される電子番組表の情報を利用し、番組情報をグラフィカルに一覧表示することで、記録開始時刻と記録終了時刻を指定して記録を行う従来の方法と比較して、より簡単に番組予約を行うことが可能となっている。
【０００３】
また、共通の番組の話題でコミュニケーションの充実や拡大を図ることを目的として、友人や同僚などと共通の番組をより簡単に予約する方法が、特許文献１で提案されている。特許文献１に係る技術は、インターネットなどの通信ネットワークを介して、番組記録装置同士が相互に番組予約情報をやり取りすることで、友人や同僚などと共通の番組を自動予約するものである。
【先行技術文献】
【特許文献】
【０００４】
【特許文献１】特開２００６−２９５５７１号公報
【発明の概要】
【発明が解決しようとする課題】
【０００５】
特許文献１に係る技術では、番組予約情報をやり取りする際に、相手装置を特定するために、ＩＰ（Ｉｎｔｅｒｎｅｔ  Ｐｒｏｔｏｃｏｌ）アドレスおよびＭＡＣ（Ｍｅｄｉａ  Ａｃｃｅｓｓ  Ｃｏｎｔｒｏｌ）アドレス等の相手装置を特定するための情報を知っておく必要がある。したがって、番組予約情報をやり取りする装置が増減するたびに、上記相手装置を特定するための情報の設定を追加したり、削除したりしなければ、ならず設定作業が大変煩雑となる。
【０００６】
また、異なる地域設定が行われた装置間で番組予約情報をやり取りした場合、地域によって放送局名や物理チャンネルが異なるため、相手の番組予約情報を取得した装置側において、正しく予約できない場合が発生する。
【０００７】
そこで、本発明は、番組予約情報をやり取りする装置が増減したとしても、当該増減に係る設定の煩雑化を防止することができる番組記録システムを提供することを目的とする。さらに、異なる地域設定が行われた装置間で番組予約情報をやり取りした場合においても、相手の番組予約情報を取得した装置側において、正しく番組予約することができる番組記録システムを提供することを目的とする。
【課題を解決するための手段】
【０００８】
上記の目的を達成するために、本発明に係る番組記録システムは、第一の番組記録装置と第二の番組記録装置とを少なくとも含む、複数の番組記録装置と、前記複数の番組記録装置と通信ネットワークを介して接続されるサーバとを、備えており、前記サーバは、前記第一の番組記録装置が有する第一の番組予約情報を少なくとも登録することができ、前記第二の番組記録装置は、前記サーバに登録されている前記第一の番組予約情報を取得して良いか否かの承認確認を、前記第一の番組記録装置に行い、前記承認確認の結果に応じて前記サーバから第一の番組予約情報を取得することができる予約情報取得部と、前記予約情報取得部で取得した前記第一の番組予約情報を少なくとも用いて、自機における第二の番組予約情報を作成する予約設定部とを、備えており、同じ内容の番組の放送を行う放送局が、地域によって異なる場合において、前記サーバは、前記同じ内容の番組を放送する異なる前記放送局間の対応付け、および前記異なる放送局が有する物理チャンネル間の対応付けがなされた、変換テーブルを有している。
【０００９】
または、本発明に係る番組記録システムは、第一の番組記録装置と第二の番組記録装置とを少なくとも含む、複数の番組記録装置と、前記複数の番組記録装置と通信ネットワークを介して接続されるサーバとを、備えており、前記サーバは、前記第一の番組記録装置が有する第一の番組予約情報を、少なくとも登録することができ、前記第二の番組記録装置は、前記サーバに登録されている前記第一の番組予約情報を取得して良いか否かの承認確認を、前記第一の番組記録装置に行い、前記承認確認の結果に応じて前記サーバから第一の番組予約情報を取得することができる予約情報取得部と、前記予約情報取得部で取得した前記第一の番組予約情報を少なくとも用いて、自機における第二の番組予約情報を作成する予約設定部とを、備えており、同じ内容の番組の放送を行う放送局が、地域によって異なる場合において、前記第二の番組記録装置は、前記同じ内容の番組を放送する異なる前記放送局間の対応付け、および前記異なる放送局が有する物理チャンネル間の対応付けがなされた、変換テーブルを有している。
【発明の効果】
【００１０】
本発明に係る番組記録システムでは、通信ネットワーク上にサーバを設置し、当該サーバが第一の番組予約情報を管理している。したがって、ユーザは、自機の番組記録装置において、通信ネットワーク上のサーバを特定できる情報（ＩＰアドレスやＭＡＣアドレス等）を、一度設定するだけで良くなる。よって、番組予約情報のやり取りを行う相手装置がシステムにおいて追加・削除等されても、当該ユーザ側において余分な設定作業が必要でなくなる。
【図面の簡単な説明】
【００１１】
【図１】本発明に係る番組記録再生システムの構成を示す図である。
【図２】電子番組表情報から作成された電子番組表の一例を示す図である。
【図３】第二の番組記録装置が既に有している第二の番組予約情報の一例を示す図である。
【図４】サーバにアップさせる予約番組を選択する様子を示す図である。
【図５】サーバに登録されている番組予約情報の一例を示す図である。
【図６】サーバに登録されている番組予約情報の一例を示す図である。
【図７】第二の番組記録装置において更新された第二の番組予約情報を示す図である。
【図８】第二の番組記録装置において更新された第二の番組予約情報を示す図である。
【図９】サーバに登録されている番組予約情報の一例を示す図である。
【図１０】サーバに登録されている番組予約情報の一例を示す図である。
【図１１】変換テーブルの一例を示す図である。
【図１２】第二の番組記録装置において更新された第二の番組予約情報を示す図である。
【図１３】ログインＩＤのリストの一例を示す図である。
【発明を実施するための形態】
【００１２】
以下、この発明をその実施の形態を示す図面に基づいて具体的に説明する。
【００１３】
＜実施の形態１＞
図１は、本実施の形態に係る番組記録再生システム２００の構成を示す図である。
【００１４】
図１に示すように、番組記録再生システム２００は、複数の番組記録再生装置１０１，１０２，１０３とサーバ１０４とから構成されている。複数の番組記録再生装置１０１〜１０３とサーバ１０４とは、通信ネットワーク（インターネット）１０５を介して、相互に接続されている。ここで、番組記録再生装置１０１〜１０３として、ＨＤＤ搭載のＤＶＤレコーダーを採用できる。
【００１５】
図１の構成において、番組記録再生装置１０１〜１０３相互間において、サーバ１０４を介して、各々の装置１０１〜１０３が有する番組予約情報がやり取りされる。そして、取得した番組予約情報と自機において既に所有している番組予約情報とを用いて、自機の番組予約情報を新たに作成（更新）する。
【００１６】
なお、以下でシステムの動作説明を行うが、そこでは、一例として、番組記録再生装置（第一の番組記録装置と把握できる）１０２，１０３が有する番組予約情報（第一の番組予約情報と把握できる）を、番組記録再生装置（第二の番組記録装置と把握できる）１０１が取得する場合について言及する。
【００１７】
はじめに、番組記録再生装置１０１内のブロック回路構成について説明する。
【００１８】
番組記録再生装置１０１は、受信部１０６、蓄積部１０７、再生部１０８、ＥＰＧ（Ｅｌｅｃｔｒｏｎｉｃ  Ｐｒｏｇｒａｍ  Ｇｕｉｄｅ）取得部１０９、ネットワークインターフェース（ネットワークＩ／Ｆと称する）１１０、予約情報取得部１１１、および予約設定部１１２を備えている。
【００１９】
受信部１０６は、アンテナ（図示せず）などで受信した放送信号から、必要な信号を抽出することができる。蓄積部１０７は、受信部１０６で抽出した信号を記録することができる。再生部１０８は、蓄積部１０７に記録された信号を読み出し、当該読み出した信号を表示装置（図示せず）に出力することができる。ＥＰＧ取得部１０９は、受信部１０６で受信した信号からＥＰＧ（電子番組表）情報を取得することができる。ネットワークＩ／Ｆ１１０は、通信ネットワーク１０５を通してサーバ１０４と通信を行うことができる。
【００２０】
予約情報取得部１１１は、サーバ１０４から他の番組記録再生装置（以下、第一の番組記録装置と称する）１０２，１０３の番組予約情報（以下、第一の番組予約情報と称する）を取得することができる。予約設定部１１２は、番組記録再生装置（以下、第二の番組記録装置と称する）１０１が既に有している番組予約情報（以下、第二の番組予約情報と称する）と、予約情報取得部１１１で取得した第一の番組予約情報とに基づいて、上述した第二の番組予約情報を新たに作成（更新）することができる。そして、予約設定部１１２は、当該作成（更新）した第二の番組予約情報を保持し、当該第二の番組予約情報を用いて番組の予約を設定することができる。
【００２１】
ここで、上述した、第二の番組記録装置１０１が既に有している第二の番組予約情報は、例えば第二の番組記録装置１０１側のユーザにより、ＥＰＧを用いて予め予約された番組から構成されている。
【００２２】
なお、上述した第二の番組記録装置１０１の構成は、第一の番組記録装置１０２，１０３においても同様である。
【００２３】
次に、図１を用いて、第二の番組記録装置１０１にＥＰＧを通して番組予約を行う流れを説明する。
【００２４】
ＥＰＧ取得部１０９は、アンテナなどで受信した放送信号からＥＰＧ情報を抽出し、当該抽出したＥＰＧ情報を使用して図２のような電子番組表を作成する。番組記録装置１０１側のユーザは、図２のような電子番組表からリモコンを使って記録したい番組を選択し、予約を行う。図２から番組Ａ、番組Ｉ、番組Ｊの予約を行うと図３のような第二の番組予約情報が作成される。予約設定部１１２は、作成された図３の第二の番組予約情報を基に予約設定を行う。
【００２５】
次に、第二の番組記録装置１０１の記録動作および再生動作の流れを説明する。
【００２６】
予約設定部１１２は、記録開始時刻が近くなると受信部１０６に記録を行うチャンネルを通知する。受信部１０６では、通知されたチャンネルの信号を抽出する。また、予約設定部１１２は、記録開始時刻になると蓄積部１０７に対し記録を開始するよう通知する。すると、蓄積部１０７は、受信部１０６から入力される信号の記録を開始する。
【００２７】
また、第二の番組記録装置１０１側のリモコン操作などにより、蓄積部１０７に記録された番組リストの中から再生を行う番組が選択される。すると、再生部１０８は、蓄積部１０７から選択された番組の記録信号を読み出す。そして、再生部１０８は、表示装置の表示可能な信号に変換して出力する。これにより、表示装置の画面に再生映像を表示される。
【００２８】
次に、第二の番組記録装置１０１からサーバ１０４に、第二の番組予約情報を送信する方法について説明する。
【００２９】
第二の番組記録装置１０１側のユーザは、サーバ１０４のＩＰアドレスおよびＭＡＣアドレスなど、通信ネットワーク１０５につながっているサーバ１０４を特定できる情報（以下、サーバ情報と称する）を、当該第二の番組記録装置１０１に予め設定しておく。ネットワークＩ／Ｆ１１０は、設定されたサーバ情報を基にして、サーバ１０４とネットワーク接続を行う。初回接続時には、サーバ１０４へのユーザ登録が必要となる。その際の登録情報の１つとして、第二の番組記録装置１０１の地域設定情報がある。なお、サーバ１０４への当該地域設定情報の登録はユーザによる直接入力でなくても良い。つまり、第二の番組記録装置１０１からサーバ１０４へ当該地域設定情報を自動送信し、サーバ１０４で受信した地域設定情報を自動登録するようにしても良い。
【００３０】
さて、ユーザ登録が済むと、サーバ１０４へログインするためのログインＩＤとログインパスワードが発行される。発行されたログインＩＤとログインパスワードを使用して、ユーザがサーバ１０４へログインする。すると、第二の番組記録装置１０１が有する第二の番組予約情報のサーバ１０４への登録、およびサーバ１０４に登録されている、第一の番組記録装置１０２，１０３が有する第一の番組予約情報の閲覧が可能となる。第二の番組記録装置１０１は、予約設定部１１２で設定された例えば図３のような第二の番組予約情報を、ネットワークＩ／Ｆ１１０および通信ネットワーク１０５を通してサーバ１０４に送信する。
【００３１】
ここで、図３の番組予約情報の中で他の人に公開されたくない予約番組があるとする。当該場合には、図４のように、サーバ１０４に送信しても良い番組を選択する（図４のサーバアップの「○」が付された予約番組）。そして、当該選択された予約番組のみから構成される第二の番組予約情報を、サーバ１０４に送信するようにすることもできる。
【００３２】
次に、サーバ１０４に登録されている、第一の番組記録装置１０２，１０３が有する第一の番組予約情報を、第二の番組記録装置１０１が当該サーバ１０４から取得する方法について説明する。
【００３３】
各番組記録装置１０１〜１０３が有する番組予約情報は、サーバ１０４に予め各々登録されている。つまり、サーバ１０４内には記憶部が配設されており、当該記憶部に、各番組記録装置１０１〜１０３が有する番組予約情報が格納されている。ここで、サーバ１０４に登録されている、第一の番組記録装置１０２，１０３が有する第一の番組予約情報リストをそれぞれ図５、図６とする。
【００３４】
第二の番組記録装置１０１側のユーザは、サーバ１０４に登録されている端末リストの中から番組予約情報を交換したい相手を選択する。ここで、端末として第一の番組記録装置１０２，１０３を選択する。すると、第二の番組記録装置１０１側では、図５、図６に例示する第一の番組予約情報のリストを見ることができる。第二の番組記録装置１０１側のユーザは、図５、図６に示す複数の第一の番組予約情報のリストの中から、自機に登録したい所望の番組予約情報のリストを選択する（例えば、図５に示す第一の番組予約情報のリスト全体のみを選択する）。あるいは、当該ユーザは、所望の番組予約情報のリストの中から、所望の個々の予約番組（リストの構成要素）を選択する（例えば、図５に示す第一の番組予約情報のリストの中から、最下段の予約番組（Ｅ局、２２チャンネル、番組Ｓ、開始時刻２２：３０、終了時刻２３：００）のみを選択する）。
【００３５】
第二の番組記録装置１０１は、図１には図示しないが、外部から操作可能な番組情報選択部を有している。そして、第二の番組記録装置１０１側のユーザが、当該番組情報選択部を操作する。これにより、サーバ１０４に登録されている第一の番組予約情報全体を選択、若しくは第一の番組予約情報の中から所望の予約番組（リストの構成要素）を選択する。
【００３６】
例えば、第二の番組記録装置１０１側のユーザは、図５に示す第一の番組予約情報のリストにある全ての番組を自機に登録したいとする。この場合、当該ユーザは番組情報選択部を操作して、図５に示す第一の番組予約情報のリスト全体を選択する。すると、サーバ１０４は、図５に示す第一の番組予約情報の全てを、第二の番組記録装置１０１に送信する。
【００３７】
第二の番組記録装置１０１側の予約情報取得部１１１は、サーバ１０４から送信されてきた第一の番組予約情報を、ネットワークＩ／Ｆ１１０を通して取得する。その後、予約情報取得部１１１は、取得した第一の番組予約情報を予約設定部１１２に送る。予約設定部１１２は、予約情報取得部１１１で取得した第一の番組予約情報を少なくとも用いて、自機における第二の番組予約情報を作成する。今の場合、予約設定部１１２は、図３に示す自機が既に有している第二の番組予約情報と予約情報取得部１１１で取得した図５に示す第一の番組予約情報とを組み合わせて、新たな第二の番組予約情報を作成（更新）する。当該更新後の第二の番組予約情報を図７に示す。当該更新後、予約設定部１１２では、当該更新された第二の番組予約情報に基づいて予約の再設定を行う。
【００３８】
上記では、第一の番組記録装置１０２がサーバ１０４において公開している、第一の番組予約情報のリストの全てを、第二の番組記録装置１０１に登録する場合を示した。しかし、上述したように、第一の番組記録装置１０１側のユーザは、番組情報選択部を操作することにより、第一の番組予約情報の中から自機に登録したい予約番組を、予約番組単位で選択することも可能である。
【００３９】
例えば、第二の番組記録装置１０１側のユーザが、サーバ１０４に公開されている、図５に示す第一の番組予約情報の中から番組Ｂの予約番組、図６に示す第一の番組予約情報の中から番組Ｒの予約番組を各々選択したとする。当該選択は、上記の通り番組情報選択部の操作に基づいて実施される。この場合、サーバ１０４から第二の番組記録装置１０１側に、当該選択した２つの予約番組が送信される。
【００４０】
第二の番組記録装置１０１側の予約情報取得部１１１は、番組情報選択部で選択された２つの予約番組（所望の予約番組）のみを、サーバ１０４からネットワークＩ／Ｆ１１０を通して取得する。予約情報取得部１１１は、取得した２つの予約番組を予約設定部１１２に送る。予約設定部１１２は、予約情報取得部１１１で取得した第一の番組予約情報を少なくとも用いて、自機における第二の番組予約情報を作成する。今の場合、予約設定部１１２では、予約情報取得部で取得した上記２つの予約番組と、図３に示す自機が既に有している第二の番組予約情報とを組み合わせて、新たな第二の番組予約情報を作成（更新）する。当該更新後の第二の番組予約情報を図８に示す。当該更新後、予約設定部１１２において、当該更新された第二の番組予約情報に基づいて予約の再設定を行う。
【００４１】
上記のように、第二の番組記録装置１０１および第一の番組記録装置１０２，１０３が同じ地域設定であれば、上記の方法で問題ない。しかし、各番組記録装置１０１〜１０３が異なる地域設定がされている場合には、同じ放送系列でも物理チャンネルが異なる場合があるため、番組記録装置１０１〜１０３の地域設定に合わせて物理チャンネルを変換する変換テーブルが必要になる。
【００４２】
つまり、同じ内容の番組の放送を行う放送局が、地域によって、異なる場合に備えて、サーバ１０４は、変換テーブルを有している。ここで、放送局が異なると、放送電波等の送信の際に使用される物理チャンネルも異なる。また、当該変換テーブルは、例えばサーバ１０４内に配設された記憶部に予め格納されている。なお、変換テーブルは、同じ内容の番組を放送する異なる放送局間の対応付け、および異なる放送局が有する物理チャンネル間の対応付けがなされている。
【００４３】
次に、各番組記録装置１０１〜１０３が各々異なる地域設定がなされている場合の番組予約情報取得方法を、例をあげて説明する。
【００４４】
サーバ１０４に登録されている、第一の番組記録装置１０２，１０３が有する第一の番組予約情報のリストを、それぞれ図９，１０に示す。第二の番組記録装置１０１側のユーザは、サーバ１０４に登録されている端末リストの中から番組予約情報を交換したい相手を選択する。ここで端末として、第一の番組記録装置１０２，１０３を選択する。すると、図９，１０に示すような第一の番組予約情報のリストを、第二の番組記録装置１０２側において当該ユーザは見ることができる。第二の番組記録装置１０１側のユーザは、番組情報選択部を操作する。これにより、上述したように当該ユーザは、図９に示す第一の番組予約情報の全て、および／または、図１０に示す第一の番組予約情報の全てを選択できる。または、当該ユーザは、図９，１０に示す第一の番組予約情報の中から、所望の予約番組（リストの構成要素）のみを選択することができる。
【００４５】
上記取得する番組予約情報の選択が終わったら、サーバ１０４は、自機に格納されている変換テーブルを用いて、次の処理を行う。つまり、サーバ１０４は、第二の番組記録装置１０１側のユーザがユーザ登録時に入力した地域設定情報と、第一の番組記録装置１０２，１０３側の各ユーザがユーザ登録時に入力した地域設定情報を比較する。そして当該比較の結果、地域設定が異なっているとサーバ１０４が判断したとする。この場合、サーバ１０４が保持している例えば図１１のような変換テーブルに従って、サーバ１０４は、放送局名と物理チャンネルの変換を行う。
【００４６】
上記では、第一の番組予約情報の選択後に、サーバ１０４は、放送局名と物理チャンネルの変換を行っている。しかし、第一の番組予約情報を第二の番組記録装置１０１側で公開されるタイミングで、サーバ１０４は、第二の番組記録装置１０１の地域設定に合わせて、上記放送局名および物理チャンネルの変換処理を実施しても良い。なお、本実施の形態では、変換テーブルをサーバ１０４が保持し、サーバ１０４内で放送局名と物理チャンネルの変換処理を行う例を示した。しかし、各番組記録装置１０１〜１０３が当該変換テーブルを保持し、番組記録装置１０１〜１０３がサーバ１０４から番組予約情報を受信した後に、当該番組記録装置１０１〜１０３内の予約情報取得部１１１において、当該テーブルを用いて、放送局名と物理チャンネルとの変換処理を行うようにしても良い。
【００４７】
次に、変換テーブルを用いた、放送局名と物理チャンネルの変換方法について、図１１に例示した変換テーブルを用いて説明する。
【００４８】
第二の番組記録装置１０１の地域設定が地域Ｘ、第一の番組記録装置１０２の地域設定が地域Ｙ、第一の番組記録装置１０３の地域設定が地域Ｚであるとする。また、第二の番組記録装置１０１側のユーザは、図９に示した第一の番組記録装置１０２側の第一の番組予約情報の全てを選択したとする。番組Ｂは、Ｆ局において、物理チャンネルが３２を用いて放送されている。したがって、図１１より放送局の系列を識別する情報である系列識別子は、０となる。第二の番組記録装置１０１は地域Ｘの設定なので、図１１の地域Ｘの系列識別子が０の部分を見ると、放送局名がＡ局、物理チャンネルが２７となることが分かる。
【００４９】
同じ系列識別子であれば一部のローカル番組を除いて、キー局から送出される番組と同じ内容の番組が放送されている。そこで、サーバ１０４は、番組Ｂに関する第一の番組予約情報を、Ａ局、物理チャンネル２７、開始時刻２０：００、終了時刻２１：００と変換する。そして、サーバ１０４は、変換後の第一の番組予約情報を第二の番組記録装置１０１に送信する。
【００５０】
同様にして、図１０に示す第一の番組予約情報の中から、番組Ｒの予約番組が選択されたとする。この場合には、番組Ｒは、Ｏ局において、物理チャンネル１１を用いて放送される。したがって、図１１より系列識別子は４となる。地域Ｘの系列識別子が４の部分を見ると、放送局名がＥ局、物理チャンネルが２２である。そこで、サーバ１０４は、番組Ｒに関する第一の番組予約情報（所望の予約番組）を、Ｅ局、物理チャンネル２２、開始時刻２２：００、終了時刻２２：３０と変換する。そして、サーバ１０４は、変換後の第一の番組予約情報（所望の予約番組）を第二の番組記録装置１０１に送信する。
【００５１】
さて、サーバ１０４から変換後の第一の番組予約情報（または、変換後の所望の予約番組）が送信されると、第二の番組記録装置１０１側の予約情報取得部１１１は、当該送信された変換後の第一の番組予約情報（または、変換後の所望の予約番組）を、ネットワークＩ／Ｆ１１０を通して取得する。予約情報取得部１１１は、受け取った変換後の第一の番組予約情報（または、変換後の所望の予約番組）を予約設定部１１２に送る。
【００５２】
一部のローカル番組では、系列識別子が同じでも異なる内容の番組が放送されている場合がある。このため、予約設定部１１２は、予約情報取得部１１１から取得した変換後の第一の番組予約情報（または、変換後の所望の予約番組）の各番組の番組名と、ＥＰＧ取得部１０９から取得した前記各番組と同一開始時刻の番組の番組名を比較する。そして、当該比較の結果、番組名が異なる場合には、予約設定部１１２は、変換後の第一の番組予約情報（または、変換後の所望の予約番組）から、該当異なる番組の予約番組を削除する。
【００５３】
予約設定部１１２では、当該変換後の第一の番組予約情報（または、変換後の所望の予約番組）を少なくとも用いて、第二の番組予約情報を作成する。具体的に、予約設定部１１２は、図３に示す自機が既に有している第二の番組予約情報とサーバ１０４から受け取った、変換後の第一の番組予約情報（または、変換後の所望の予約番組）とを組み合わせて、新たな第二の番組予約情報を作成（更新）する。今回は、図３に示す第二の番組予約情報に、Ａ局の番組Ｂの予約番組とＥ局の番組Ｒの予約番組が追加される。したがって、図１２に示すような第二の番組予約情報が新たに作成される。そして、予約設定部１１２では、新たに作られた第二の番組予約情報に基づいて予約の再設定を行う。
【００５４】
上記の動作によって、第二の番組記録装置１０１側では、第一の番組記録装置１０２，１０３が有する予約番組と共通の番組を予約することができる。
【００５５】
なお、上記説明では、番組記録再生装置１０１側において、サーバ１０４に登録されている、他の番組記録再生装置１０２，１０３が有する番組予約情報を取得し、当該取得した番組予約情報に基づいて、自機が有する番組予約情報を作成（更新）する場合について説明した。しかし、当該一連の動作は、番組記録再生装置１０２側および番組記録再生装置１０３側においても、同様に実行される。
【００５６】
これによって、友人や同僚などの間で、各々が所有する番組記録再生装置１０１〜１０３に予約している番組予約情報を互いに公開しあい、相手が予約している番組を自分の番組記録再生装置１０１〜１０３に簡単に予約できるようになる。したがって、各々の番組記録再生装置１０１〜１０３のユーザは、共通の番組を視聴することができるようになる。よって、共通の番組の話題でのコミュニケーションの充実や拡大を図ることができるようになる。
【００５７】
また、本実施の形態に係る番組記録再生システム２００では、複数の番組記録再生装置１０１〜１０３と通信ネットワーク１０５を介して接続される、サーバ１０４を備えている。そして、当該サーバ１０４には、各番組記録再生装置１０１〜１０３が有する番組予約情報が登録されている。さらに、各番組記録再生装置１０１〜１０３は、上記予約情報取得部１１１および上記予約設定部１１２とを、備えている。
【００５８】
つまり、通信ネットワーク１０５上にサーバ１０４を設置し、当該サーバ１０４が番組予約情報を管理している。したがって、ユーザは、自機１０１〜１０３において、通信ネットワーク１０５上のサーバ１０４を特定できる情報（ＩＰアドレスやＭＡＣアドレス等）を、一度設定するだけで良くなる。よって、番組予約情報のやり取りを行う相手装置がシステム２００において追加・削除等されても、当該ユーザ側において余分な設定作業が必要でなくなる。
【００５９】
また、本実施の形態では、サーバ１０４若しくは各番組記録装置１０１〜１０３は、図１１に例示した変換テーブルを有している。
【００６０】
したがって、サーバ１０４（若しくは、番組予約情報を受信した番組記録装置１０１〜１０３）が、番組予約情報を要求している装置１０１〜１０３に設定されている地域設定に合わせて、変換テーブルを使って放送局名や物理チャンネルを変換できる。なお、サーバ１０４が上記変換テーブルを有しているケースでは、変換後の番組予約情報をサーバ１０４から送信される。つまり、異なる地域設定の番組記録再生装置１０１〜１０３を持つ友人・同僚間でも、番組予約情報の受信側の番組記録再生装置１０１の地域設定に合わせて、サーバ１０４（若しくは、番組予約情報を受信した番組記録装置１０１〜１０３）で自動的に上記変換処理を行うことができる。よって、異なる地域設定の機器間で番組予約情報をやり取りした場合も、正しく予約することが可能になる。
【００６１】
また、本実施の形態では、予約設定部１１２は、予約情報取得部１１１で取得した第一の番組予約情報と、第二の番組記録装置が既に有している第二の番組予約情報とを用いて、第二の番組予約情報を更新する。
【００６２】
したがって、任意の番組記録再生装置１０１〜１０３がサーバ１０４に登録している番組予約情報を、自機１０１〜１０３の番組予約設定に自動的に用いることができる。
【００６３】
また、本実施の形態では、番組記録再生装置１０１〜１０３は、サーバ１０４に登録されている番組予約情報の中から所望の予約番組を選択することができる番組情報選択部を、備えている。さらに、上記予約設定部１１２では、当該所望の予約番組と、番組記録装置１０１〜１０３が既に有している番組予約情報とを用いて、自機の番組予約情報を更新している。
【００６４】
したがって、複数の友人や同僚がサーバ１０４において公開している番組予約情報の中から、好みの予約番組のみを選択して、自機において番組予約することができる。
【００６５】
＜実施の形態２＞
本実施の形態を図１を用いて説明する。本実施の形態は、サーバ１０４に登録されている番組予約情報を、友人や同僚などの特定の相手にのみ公開できるようにする方法に関するものである。本実施の形態に記載されていない部分の動作は、実施の形態１と同様である。
【００６６】
まず、サーバ１０４へのログイン方法を説明する。
【００６７】
なお、実施の形態１と同様に、サーバ１０４に登録されている番組予約情報の取得を要求する側の番組記録再生装置を、第二の番組記録装置１０１と便宜上する。なお、実施の形態１で説明したように、第二の番組記録装置１０１が有する番組予約情報は、第二の番組予約情報と称する。また、サーバ１０４に登録されている他機１０２，１０３が有する番組予約情報は、第一の番組予約情報と称し、当該他機１０２，１０３は、第一の番組記録装置１０２，１０３と称する。
【００６８】
第二の番組記録装置１０１側のユーザは、サーバ１０４への初回接続時に、ユーザ登録を行い、サーバ１０４からログインＩＤおよびログインパスワードの発行を受ける。そして、第二の番組記録装置１０１側のユーザは、発行されたログインＩＤとログインパスワードをサーバ１０４へ入力する。これにより、当該ユーザのサーバ１０４へのログインが可能となる。
【００６９】
次に、サーバ１０４へログイン後における、サーバ１０４に登録されている第一の番組予約情報を取得する方法について、例をあげて説明する。
【００７０】
第二の番組記録装置１０１側のユーザＡが、友人である第一の番組記録装置１０２のユーザＢが設定している第一の番組予約情報を、サーバ１０４から取得する場合を考える。番組予約情報の交換を行うためには、予め番組予約情報の交換を行いたい相手と、ログインＩＤを交換しておく必要がある。よって、予め連絡を取り合って、ユーザＡとユーザＢは、お互いのログインＩＤを知っておく必要がある。ここでは、ユーザＡのログインＩＤが１０００１、ユーザＢのログインＩＤが１０００２であり、ユーザＡとユーザＢは予め携帯電話などを利用して互いのログインＩＤを交換しているものとする。
【００７１】
ユーザＡが、サーバ１０４へログインする。すると、第二の番組記録装置１０１側において、図１３に示すように、ログインＩＤのリストが表示される。ここで、当該ログインＩＤのリストは、サーバ１０４に番組予約情報を登録しているユーザのログインＩＤリストである。ユーザＡは、第二の番組記録装置１０１を操作して、このリストの中から予め入手していたユーザＢのログインＩＤ（１０００２）を選択する。ログインＩＤが選択されるとサーバ１０４は、ユーザＢ側の第一の番組記録装置に対して、ユーザＡのログインＩＤ（１０００１）を送信し、第一の番組予約情報の交換を希望している相手がいることを通知する。つまり、サーバ１０４は、ユーザＢがサーバ１０４に登録している第一の番組予約情報を、第二の番組記録装置１０１が取得して良いか否かの承認確認を、当該第一の番組記録装置１０２に行う。
【００７２】
ユーザＢ側の第一の番組記録装置１０２が、上記承諾確認の通知を受け取ると、ユーザＢは送付されてきた相手のログインＩＤを確認する。そして、ユーザＢがサーバ１０４において登録している第一の番組予約情報の交換を、許可しても良い相手であれば、当該ユーザＢは承認する。ここで、ユーザＢは、ユーザＡのログインＩＤを予め交換して取得している。よって、送信されてきたログインＩＤ（１０００１）がユーザＡのものであることが分かる。
【００７３】
ユーザＢが第一の番組予約情報の交換を承認すると、ユーザＢ側の第一の番組記録装置１０２からサーバ１０４へ、第一の番組予約情報交換承認の通知が送信される。すると、サーバ１０４は、第一の番組記録装置１０２からの承認確認の結果に応じて、第二の番組記録装置１０１に対して、第一の番組予約情報を送信するか否かを判断する。今の場合、サーバ１０４が、当該第一の番組予約情報交換承認の通知を受け取る。すると、サーバ１０４は、ユーザＡに対してユーザＢの番組予約情報リストを公開し、第二の番組記録装置１０１に対して、要求に応じた第一の番組予約情報を送信する。
【００７４】
次に、サーバ１０４へログイン後における、サーバ１０４に登録されている第一の番組予約情報を取得することに失敗する場合について、例をあげて説明する。
【００７５】
第二の番組記録装置１０１側のユーザＡは、サーバ１０４に登録されている、第一の番組記録装置１０３（ユーザＣ）が有する第一の番組予約情報を取得しようとする場合を考える。ここでは、ユーザＡのログインＩＤが１０００１、ユーザＣのログインＩＤが１０００３であり、ユーザＡとユーザＣは互いのログインＩＤを知らないものとする。
【００７６】
ユーザＡが、サーバ１０４へログインする。すると、第二の番組記録装置１０１側において、図１３に提示したログインＩＤのリストが表示される。ユーザＡは、第二の番組記録装置１０１を操作して、このリストの中からユーザＣのログインＩＤ（１０００３）を選択する。ログインＩＤが選択されるとサーバ１０４は、ユーザＣ側の第一の番組記録装置１０３に対して、ユーザＡのログインＩＤ１０００１を送信し、第一の番組予約情報の交換を希望している相手がいることを通知する。つまり、サーバ１０４は、ユーザＣがサーバ１０４に登録している第一の番組予約情報を、第二の番組記録装置１０１が取得して良いか否かの承認確認を、当該第一の番組記録装置１０３に行う。
【００７７】
ユーザＣ側の第一の番組記録装置１０３が、上記承諾確認の通知を受け取ると、ユーザＣは送付されてきた相手のログインＩＤを確認する。そして、ユーザＣがサーバ１０４において登録している第一の番組予約情報の交換を、許可しても良い相手であれば、当該ユーザＣは承認する。ここで、ユーザＣは、ユーザＡのログインＩＤを知らないため、当該ユーザＣによりサーバ１０４に登録された第一の番組予約情報の交換を承認しない。したがって、ユーザＣ側の第一の番組記録装置１０３は、サーバ１０４に第一の番組予約情報交換非承認の通知が送信される。
【００７８】
すると、サーバ１０４は、第一の番組記録装置１０３からの承認確認の結果に応じて、第二の番組記録装置１０１に対して、第一の番組予約情報を送信するか否かを判断する。今の場合、サーバ１０４が、当該第一の番組予約情報交換非承認の通知を受け取る。したがって、サーバ１０４は、第二の番組記録装置１０１に対して、第一の番組予約情報交換非承認の通知を行い、ユーザＣの第一の番組予約情報の公開を行わない。
【００７９】
以上が、友人や同僚などの特定の相手にのみ、サーバ１０４に登録した番組予約情報を公開・取得できるようにする方法である。上記では、ユーザＡとユーザＢがお互いを特定するための情報としてログインＩＤを使用した。しかし、ログインＩＤの代わりとして、より分かり易いハンドルネームなどを使用しても良い。
【００８０】
また、上記では、番組記録再生装置１０１が、サーバ１０４に登録されている番組予約情報を取得する動作に言及した。当該動作は、番組記録再生装置１０２，１０３でも、同様に実施される。
【００８１】
以上のように、本実施の形態では、サーバ１０４は、サーバ１０４に登録されている番組予約情報を要求元の番組記録再生装置１０１〜１０３が取得して良いか否かの承認確認を、当該番組予約情報の設定元である番組記録再生装置１０１〜１０３に行っている。そして、サーバ１０４は、番組記録再生装置１０１〜１０３からの承認確認の結果に応じて、要求元の番組記録再生装置１０１〜１０３に対して、要求に応じた番組予約情報を送信するか否かを判断している。
【００８２】
したがって、サーバ１０４に番組予約情報を登録している番組記録再生装置１０１〜１０３の中から、承認を受けた装置としか番組予約情報のやり取りを行わないようにすることができる。よって、友人や同僚などの特定の相手とのみ間において、番組予約情報の交換が可能となるので、プライバシーを守ることができる。
【００８３】
なお、各番組記録再生装置１０１〜１０３は、図１には図示していないが、自機が有する番組予約情報の内、サーバ１０４に登録する予約番組を選択することができる、登録選択部を、備えている。当該事項は、実施の形態１において図４を用いて説明した内容と同じである。
【００８４】
したがって、自機が有する番組予約情報の内、全て若しくはいくつかの予約番組のみをサーバ１０４に登録するかどうかを、予約番組単位でユーザ側において設定できる。このため、他人に予約していることを知られたくない番組などの予約番組を、当該他人に公開されることを防止できる。
【符号の説明】
【００８５】
１０１〜１０３  番組記録再生装置、１０４  サーバ、１０５  通信ネットワーク、１０６  受信部、１０７  蓄積部、１０８  再生部、１０９  ＥＰＧ取得部、１１０  ネットワークインターフェース、１１１  予約情報取得部、１１２  予約設定部。
【図１】
2013243764.tif 000003
【図２】
2013243764.tif 000004
【図３】
2013243764.tif 000005
【図４】
2013243764.tif 000006
【図５】
2013243764.tif 000007
【図６】
2013243764.tif 000008
【図７】
2013243764.tif 000009
【図８】
2013243764.tif 000010
【図９】
2013243764.tif 000011
【図１０】
2013243764.tif 000012
【図１１】
2013243764.tif 000013
【図１２】
2013243764.tif 000014
【図１３】
2013243764.tif 000015